(57)【要約】【課題】乗車希望者が便利にバスを利用するための種々の情報を供給するバス検索システムを提供する。【解決手段】本発明の実施形態は、バス停ポール、あるいは、その近傍に設置された接続用媒体から携帯端末装置を使用して運行管理システム端末へのアクセス情報を入手してアクセスし、複数の停留所から目的停留所を選択し、少なくとも、乗車希望者が現在いるバス停ポール、あるいは、その近傍に設置された接続用媒体を基準とした目的停留所目的停留所へ行くバスが停車するバス停ポールの位置情報、リアルタイムの待ち時間の情報を運行管理システム端末から入手することを特徴とする。【選択図】図１
2018160109.tif 000002
【特許請求の範囲】
【請求項１】
バス停ポール、あるいは、その近傍に設置された接続用媒体から携帯端末装置を使用して運行管理システム端末へのアクセス情報を入手してアクセスし、複数の停留所から目的停留所を選択し、少なくとも、乗車希望者が現在いるバス停ポール、あるいは、その近傍に設置された接続用媒体を基準とした目的停留所へ行くバスが停車するバス停ポールの位置情報、リアルタイムの待ち時間の情報を運行管理システム端末から入手することを特徴とするバス検索システム。
【請求項２】
前記運行管理システム端末は、前記携帯端末装置にて使用されている言語種類を特定し、前記特定した言語により前記携帯端末装置に情報を送信することを特徴とする請求項１に記載のバス検索システム。
【請求項３】
前記情報は、文字情報のみか、文字情報と音声情報との組合せを選択できることを特徴とする請求項２に記載のバス検索システム。
【請求項４】
さらに、行先に関する各選択肢から得られる情報には、待っているバス停への到着予定時間、目的地への到着予定時間、運賃、バスの系統名、経由地、バスの車種、バス車内の混雑度、地図上のバスの現在位置、そのバスの走行軌跡が示されることを特徴とする請求項１に記載のバス検索システム。
【請求項５】
前記目的停留所を、前記運行管理システム端末から受信した「乗り換えなしで到着できる停留所の一覧」、「施設名一覧」、「地図から選択」、「路線図から選択」、「５０音順停留所」、「駅名」から選択できることを特徴とする請求項１に記載のバス検索システム。
【請求項６】
渋滞情報を入力する３つのキー、及びバス車内の混雑度を入力する３つのキーによって構成されることを特徴とする運転手の情報入力手段。
【発明の詳細な説明】
【技術分野】
【０００１】
本発明は、バス検索システムに係り、より詳しくは、バス停ポール、あるいは、その近傍に設置された接続用媒体から携帯端末装置を使用して運行管理システム端末へアクセスし、バス運行情報を入手するバス検索システム及び運転手の情報入力手段に関する。
【背景技術】
【０００２】
通常、バス停留所（以下、バス停という）ポール（以下、バス停ポールという）には時刻表が掲示され、バス停に到着したバス乗車希望者（以下、乗車希望者という）は、現在時間と時刻表に表示された時刻から待ち時間を推定する。また、バス停ポールに取付けられた電気的表示板にバス到着を表示することが行われてきた。
【０００３】
しかしながら、交通事故、道路工事等による渋滞によってバスは時刻表通りには運行されないことがあり、リアルタイムでの待ち時間はなかなかわからない。
また、分かったとしても、次に来るバスの詳細な状況が不明である。
【０００４】
さらに、初めて来た乗車希望者が、バス停に到着しても、同じ名前のバス停ポールが複数ある場合、目的停留所へ行くバスが停車するバス停ポールの位置が不明である。
【０００５】
また、乗車希望者には、リアルタイムでの待ち時間以外にも目的地への到着予定時間、運賃、混雑度等の情報を欲しいという要望がある。
【０００６】
さらに、近年外国人旅行者が増加しているが、入手できる情報が日本語のみであるため、バスを利用しにくい状況にある。
【先行技術文献】
【特許文献】
【０００７】
【特許文献１】特開２０１１−２２７５５０
【発明の概要】
【発明が解決しようとする課題】
【０００８】
本発明は、上記の状況を鑑みて発明されたものであり、少なくとも、乗車希望者が現在いるバス停ポール、あるいは、その近傍を基準とした目的停留所へ行くバスが停車するバス停ポールの位置情報、リアルタイムの待ち時間の情報を供給するバス検索システムを提供する。
【課題を解決するための手段】
【０００９】
本発明の実施形態は、バス停ポールに設置された接続用媒体から携帯端末装置を使用して運行管理システム端末へのアクセス情報を入手してアクセスし、表示される複数の停留所から目的停留所を選択し、少なくとも、乗車希望者が現在いるバス停ポールを基準とした目的停留所へ行くバスが停車するバス停ポールの位置情報、リアルタイムの待ち時間の情報を運行管理システム端末から入手することを特徴とする。
【００１０】
前記運行管理システム端末は、前記携帯端末装置にて使用されている言語種類を特定し、前記特定した言語により前記携帯端末装置に情報を送信することを特徴とする。
【００１１】
前記情報は、文字情報のみか、文字情報と音声情報を選択できることを特徴とする。
【００１２】
さらに、入手できる情報には、待っているバス停への到着予定時間、目的地への到着予定時間、運賃、バスの系統名、経由地、バスの車種、バス車内の混雑度、地図上のバスの現在位置、そのバスの走行軌跡が表示されることを特徴とする。
【００１３】
また、目的停留所を、前記運行管理システム端末から受信した「乗り換えなしで到着できる停留所の一覧」、「施設名一覧」、「地図から選択」、「路線図から選択」、「５０音順停留所」、「駅名」から選択できることを特徴とする。
【００１４】
運転手の情報入力手段は、渋滞情報を入力する３つのキー、及びバス車内の混雑度を入力する３つのキーによって構成されることを特徴とする。
【発明の効果】
【００１５】
本発明により乗車希望者は、目的停留所へ行くバスが停車するバス停ポールの位置等の種々の情報を得られる。
【００１６】
また、初めて来た乗車希望者には、目的停留所へ行くバスが停車するバス停ポールの位置が示され便利である。
【図面の簡単な説明】
【００１７】
【図１】本発明の実施形態によるバス検索システムの通信構成を示すブロック図である。
【図２】本発明の実施形態によりバス情報を入手する順序図である。
【図３】道路交差地点のバス停ポールを示す図である。
【発明を実施するための形態】
【００１８】
図１は、本発明の実施形態によるバス検索システムの通信構成を示すブロック図である。
【００１９】
バス検索システム１００は、バス停ポール２１０、あるいは、その近傍に設置された接続用媒体２２０、乗車希望者３００の携帯端末装置３１０、運行管理システム端末４００、バス５００の送信機５１０、及び携帯端末装置３１０、運行管理システム端末４００、送信機５１０を接続するネットワーク６００含む。さらにバス５００はＧＰＳ装置５２０、入力手段５３０を備える。
ここで、バス停ポール２１０の近傍とは、バス停ポール２１０の近くに存在するコンビニエンスストア、ファミリーレストラン等の店舗であっても良い。
【００２０】
送信機５１０は、ＧＰＳ装置５２０による情報、及び入力手段５３０に情報が入力されるたびに情報をネットワーク６００を介して運行システムセンター端末４００に送信する。
【００２１】
接続用媒体２２０は、ＮＦＣタグ、２次元コード、光ＩＤ等からなり、運行システムセンター端末４００のＵＲＬ、バス停ポール２１０のバス停名を含む。
【００２２】
携帯端末装置３１０は、携帯電話、スマートホン、タブレット、パソコン等からなる。
【００２３】
運行管理システム端末４００は、バスの運行計画、各バスから送信される運行状況、国土交通省や民間の情報機関の渋滞情報等のデータをタイムリーに保存する。
【００２４】
図２は、本発明の実施形態によりバス情報を入手する順序図である。
【００２５】
バス停２００に到着した乗車希望者３００は、携帯端末装置３１０を使用し、接続用媒体２２０情報により運行システムセンター端末４００にアクセスする。（Ｓ１０１段階）
【００２６】
運行管理システム端末４００は、文字情報又は音声情報による受信データにより携帯端末装置３１０にて使用されている言語種類を特定する。（Ｓ１０２段階）
【００２７】
運行管理システム端末４００は、特定した言語によりホームページを携帯端末装置３１０に送信する。（Ｓ１０３段階）
【００２８】
以下、乗車希望者３００は携帯端末装置３１０操作により必要な情報項目を選び運行管理システム端末４００に送信し、運行管理システム端末４００は、要求された情報を送信する。（Ｓ１０４段階）
【００２９】
本発明の実施形態による情報の交信をさらに詳しく説明する。
まず、文字情報による交信を説明する。説明の便宜のために日本語により記載されているように記述するが、画面はすべて特定された言語により記載される。画面には、絵、写真が含まれることもある。
【００３０】
ホームページには、「行先」、「お知らせ」、「近隣情報」、「時刻表」等の選択肢が表示される。
【００３１】
「行先」を選択すると、乗車希望者３００がいるバス停２００から「乗り換えなしで到着できる停留所の一覧」、及び「その他」が表示される。
【００３２】
乗り換えなしで到着できる停留書の一覧の中から１つの停留所を選択すると、乗車希望者３００がいるバス停ポール２１２、あるいは、その近傍に設置された接続用媒体を基準とした選択した目的停留所へ行くバスが停車するバス停ポール２１１の位置情報、リアルタイムの待ち時間が示される。
待ち時間が長い場合は、目的停留所へ行くバスが停車するバス停ポール２１１にゆっくり行けばよいし、待ち時間が短い場合は、急いで目的停留所へ行くバスが停車するバス停ポール２１１に向かうことになる。
【００３３】
選択した目的停留所へ行くバスが停車するバス停ポール２１１の位置情報について説明する。乗車希望者３００がいる、あるいは、その近傍のバス停ポール２１２と同じ名前のバス停が複数存在する場合がある。例えば、乗車希望者３００がいるバス停ポール２１２は、目的停留所とは反対方向に行くバスが留まるバス停ポール２１０であり、道路の反対側に目的停留所に行くバスが留まるバス停ポール２１１があることがある。また、例えば、図３に示すように、２本の道路が交差する場所においては、同じ名前のバス停が４つある場合がある。さらに、駅前などにも同じ名前のバス停ポール２１０が複数ある。このような場合、特に初めて来た乗車希望者３００には、わかりづらいので、目的停留所へ行くバスが停車するバス停ポール２１１の位置が示され便利である。
【００３４】
乗車希望者３００がいる、あるいは、その近傍のバス停ポール２１２は、同じ名前のバス停は近くに存在するので、目的停留所へ行くバスが停車するバス停ポール２１１の位置の情報は、乗車希望者３００がいる場所を基準とした、ごく近くだけを表す地図により表示されるので、キメ細かな地図情報になる。
【００３５】
リアルタイムの待ち時間について説明する。
運行管理システム端末４００は、予め保存された時刻表、バス５００の送信機から送信されたＧＰＳ装置５２０による位置情報、バス５００の運転手が入力手段５３０により入力した道路混雑状態、国土交通省や民間の情報機関の渋滞情報を基にバス停へのリアルタイムの到着予定時間を予想し、現在時間との差により待ち時間を算出する。
【００３６】
バス５００の運転手が道路混雑状態を入力する入力手段５３０は運転手の負担を軽くし運転に集中するために、例えば、「大渋滞」、「渋滞」、「普通」の３つのキーによってもよい。
【００３７】
前記「その他」が選択された場合、入力方法を選択できる複数の選択肢が表示される。
選択肢は、「施設名一覧」、「地図から選択」、「路線図から選択」、「５０音順停留所」、「駅名」が含まれる。
【００３８】
「施設名一覧」を選択すると、施設名一覧表が表示され、その中から選択する。この場合、施設近くの停留所、目的停留所へ行くバスが停車するバス停ポール２１１の位置情報、リアルタイムの待ち時間が示される。
【００３９】
「地図から選択」を選択すると、予め定められた広さの地図が表示され、地図上のある地点を選択することになる。この場合、選択された地点近くの停留所、目的停留所へ行くバスが停車するバス停ポール２１１の位置情報、リアルタイムの待ち時間が示される。
【００４０】
「路線図から選択」を選択すると、路線図が表示され、路線図から目的のバス停を選択することになる。この場合、選択した目的停留所へ行くバスが停車するバス停ポール２１１の位置情報、リアルタイムの到着予定時間が示される。
【００４１】
「５０音順停留所」を選択すると、５０音順停留所が表示され、この中から目的のバス停を選択することになる。この場合、選択した目的停留所へ行くバスが停車するバス停ポール２１１の位置情報、リアルタイムの待ち時間が示される。
【００４２】
「駅名」を選択すると、駅名一覧が表示され、この中から目的のバス停を選択することになる。この場合、選択した目的停留所へ行くバスが停車するバス停ポール２１１の位置情報、リアルタイムの待ち時間が示される。
【００４３】
「その他」から上記方法により目的バス停を決定した場合、乗り換えを含む場合がある。この場合、乗り換えバス停名を表示すると共に、予想される乗り換え時間も合わせて表示する。
【００４４】
「お知らせ」を選択した場合、バス事業者からのお知らせ事項が表示される。お知らせ事項は、遅延情報、迂回情報、運休情報、記念乗車券発売情報、ラッピングバス情報、旅行案内を含む。
【００４５】
ここで、ラッピングバス情報は、例えばマニア向けに創業当初の塗装のラッピングバスの運行経路、運行時間の情報を含み、例えば企業又は商品の広告のラッピングバスの運行経路、運行時間の情報を含み、広告主が広告のラッピングバスの運行状況を知ることができる。
【００４６】
「近隣情報」を選択すると、目的停留所へ行くバスが停車するバス停ポール２１１の近隣のイベント情報、グルメ情報を含む店舗情報が表示される。
【００４７】
「時刻表」が選択されると、目的停留所へ行くバスが停車するバス停ポール２１１を出発する時刻表が表示される。さらにバス停を選ばせ、そのバス停を出発する時刻表が表示させても良い。
【００４８】
上記した各選択肢はさらに細分化された選択肢を含んでも良い。
【００４９】
さらに、「行先」の各選択肢から得られる情報には、待っているバス停への到着予定時間、目的地への到着予定時間、運賃、バスの系統名、経由地、バスの車種、バス車内の混雑度、地図上のバスの現在位置、そのバスの走行軌跡が表示されることを特徴とする。
【００５０】
待っているバス停への到着予定時間、目的地への到着予定時間は、予め保存された時刻表、バス５００の送信機から送信されたＧＰＳ装置５２０による位置情報、バス５００の運転手が入力手段５３０により入力した道路混雑状態、国土交通省や民間の情報機関の渋滞情報を基に運行システムセンター端末４００が算出し、運賃、バスの系統名、経由地、バスの車種は予め運行システムセンター端末４００に保存された情報であり、バス車内の混雑度は、そのバスの運転手により入力された情報であり、地図上のバスの現在位置、そのバスの走行軌跡は、ＧＰＳ装置５２０により得られた情報である。
【００５１】
バス車内の混雑度の入力は、運転手の負担を軽くし運転に集中するために、例えば、「大混雑」、「混雑」、「普通」の３つのキーによる入力であってもよい。
【００５２】
次に音声情報による情報の交信について説明する。
ホームページが表示された段階（図２のＳ１０３段階）において、乗車希望者３００が例えば「音声情報をお願いします」等と話すと、文字情報と共に音声情報を運行システムセンター端末４００は、送信する。
発せられた言葉により運行システムセンター端末４００は言語種類を特定する。
【００５３】
例えば、『「行先」、「お知らせ」、「近隣情報」、「時刻表」の内、どれを選択されますか？』という音声情報が運行システムセンター端末４００から携帯端末装置３１０に送信される。
【００５４】
乗車希望者３００がうまく聞き取れなかった場合、乗車希望者３００が「もう一度お願いします」と発することにより、再度上記音声情報が送信される。（以下も同様に聞き取れなかった場合に「もう一度お願いします」と発することにより、音声情報が送信される。）
【００５５】
乗車希望者３００は、選択肢の内から選択し、例えば「行先」と話すことにより、乗車希望者３００がいるバス停ポール２１２からの『「乗り換えなしで到着できる停留所の一覧」、及び「その他」のいずれを選びますか』という音声案内が送信される。
【００５６】
以下同様にして、乗車希望者３００は、送られてくる情報にしたがって、獲得したい情報に達することができる。
【００５７】
例えば、「乗り換えなしで到着できる停留所の一覧」の読み上げられた停留所から、ある停留所を選んだ場合、現在いるバス停ポールを基準として、音声により「現在いる停留所ポールは反対側に行くバス停ですので、道を渡って右に２０ｍ進んだところにあるバス停が乗車位置です。」と情報を提供する。
【００５８】
音声情報と共に文字情報も送信されるので、途中から文字情報の中からタッチなどによる交信にすることも可能である。
【符号の説明】
【００５９】
１００  バス検索システム
２００  バス停
２１０  バス停ポール
２１１  目的停留所へ行くバスが停車するバス停ポール
２１２  乗車希望者がいるバス停ポール
２２０  接続用媒体
３００  乗車希望者
３１０  携帯端末装置
４００  運行システムセンター端末
５００  バス
５１０  送信機
５２０  ＧＰＳ装置
５３０  入力手段
６００  ネットワーク
【図１】
2018160109.tif 000003
【図２】
2018160109.tif 000004
【図３】
2018160109.tif 000005
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
バス停ポール、あるいは、その近傍に設置された接続用媒体から携帯端末装置を使用して運行管理システム端末へのアクセス情報を入手してアクセスし、複数の停留所から目的停留所を選択し、少なくとも、乗車希望者が現在いるバス停ポール、あるいは、その近傍に設置された接続用媒体を基準とした目的停留所へ行くバスが停車するバス停ポールの位置情報、リアルタイムの待ち時間の情報を運行管理システム端末から入手して表示し、
乗り換えを含む場合、乗り換えバス停名を表示すると共に、予想される乗り換え時間も合わせて表示することを特徴とするバス検索システム。
【請求項２】
前記運行管理システム端末は、前記携帯端末装置にて使用されている言語種類を特定し、前記特定した言語により前記携帯端末装置に情報を送信することを特徴とする請求項１に記載のバス検索システム。
【請求項３】
前記情報は、文字情報のみか、文字情報と音声情報との組合せを選択できることを特徴とする請求項２に記載のバス検索システム。
【請求項４】
さらに、行先に関する各選択肢から得られる情報には、待っているバス停への到着予定時間、目的地への到着予定時間、運賃、バスの系統名、経由地、バスの車種、バス車内の混雑度、地図上のバスの現在位置、そのバスの走行軌跡が示されることを特徴とする請求項１に記載のバス検索システム。
【請求項５】
前記目的停留所を、前記運行管理システム端末から受信した「乗り換えなしで到着できる停留所の一覧」、「施設名一覧」、「地図から選択」、「路線図から選択」、「５０音順停留所」、「駅名」から選択できることを特徴とする請求項１に記載のバス検索システム。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
バス停ポール、あるいは、その近傍に設置された接続用媒体から携帯端末装置を使用して運行管理システム端末へのアクセス情報を入手してアクセスし、複数の停留所から目的停留所を選択し、少なくとも、乗車希望者が現在いるバス停ポール、あるいは、その近傍に設置された接続用媒体を基準とした前記目的停留所へ行くバスが停車するバス停ポールの位置情報、リアルタイムの待ち時間の情報を前記運行管理システム端末から入手して表示し、
乗り換えを含む場合、乗り換えバス停名を表示すると共に、予想される乗り換え時間も合わせて表示し、
さらに、行先に関する各選択肢から得られる情報には、待っているバス停への到着予定時間、目的地への到着予定時間、運賃、バスの系統名、経由地、バスの車種、該当バスの運転手により入力されたバス車内の混雑度、地図上のバスの現在位置、そのバスの走行軌跡が示されることを特徴とするバス検索システム。
【請求項２】
前記運行管理システム端末は、前記携帯端末装置にて使用されている言語種類を特定し、前記特定した言語種類により前記携帯端末装置に情報を送信することを特徴とする請求項１に記載のバス検索システム。
【請求項３】
前記情報は、文字情報のみか、文字情報と音声情報との組合せを選択できることを特徴とする請求項２に記載のバス検索システム。
【請求項４】
前記目的停留所を、前記運行管理システム端末から受信した「乗り換えなしで到着できる停留所の一覧」、「施設名一覧」、「地図から選択」、「路線図から選択」、「５０音順停留所」、「駅名」から選択できることを特徴とする請求項１に記載のバス検索システム。